(57)【特許請求の範囲】
【請求項１】
ＩＣカードへの電力の供給を行うための電磁界を発生するスパイラル状またはコイル状のアンテナと、該アンテナの鏡像を形成する導体部材とを備えたことを特徴とするリーダまたは／およびライタ装置。
【請求項２】
ＩＣカードへの電力の供給と通信用信号の送信又は送受信との両方を行うための電磁界を発生するスパイラル状またはコイル状のアンテナと、該アンテナの鏡像を形成する導体部材とを備えたことを特徴とするリーダまたは／およびライタ装置。
【請求項３】
請求項２記載のリーダまたは／およびライタ装置において、電力伝送用の信号を発生する電源部と、入力された送信用データを符号化する符号化回路と、前記電源部から得られる信号に対して符号化回路から得られる信号を振幅変調させて重畳させる変調器と、該変調器から得られる信号に基いてアンテナに給電する給電回路とを有することを特徴とするリーダまたは／およびライタ装置。
【請求項４】
ＩＣカードへの電力の供給を行うための電磁界を発生するスパイラル状またはコイル状のアンテナと、該アンテナの鏡像と等しいスパイラル状またはコイル状のイメージアンテナとを備えたことを特徴とするリーダまたは／およびライタ装置。
【請求項５】
ＩＣカードへの電力の供給と通信用信号の送信又は送受信との両方を行うための電磁界を発生するスパイラル状またはコイル状のアンテナと、該アンテナの鏡像と等しいスパイラル状またはコイル状のイメージアンテナとを備えたことを特徴とするリーダまたは／およびライタ装置。
【請求項６】
請求項５記載のリーダまたは／およびライタ装置において、
電力伝送用の信号を発生する電源部と、
入力された送信用データを符号化する符号化回路と、
前記電源部から得られる信号に対して符号化回路から得られる信号を振幅変調させて重畳させる変調器と、
該変調器から得られる信号に基いてアンテナおよびイメージアンテナに給電する給電回路とを有することを特徴とするリーダまたは／およびライタ装置。
【請求項７】
リーダまたは／およびライタ装置からＩＣカードに電磁波を用いて電力を伝送し、ＩＣカードにおいてこの伝送された電力を直流電圧に変換して内部回路に供給する電力伝送システムであって、
前記リーダまたは／およびライタ装置に、前記ＩＣカードへの電力の供給を行うための電磁界を発生するスパイラル状またはコイル状のアンテナと、該アンテナの鏡像を形成する導体部材とを備えたことを特徴とする電力伝送システム。
【請求項８】
リーダまたは／およびライタ装置からＩＣカードに電磁波を用いて電力を伝送し、通信用信号の送受信を行う通信システムであって、
前記リーダまたは／およびライタ装置に、前記ＩＣカードへの電力の供給と通信用信号の送受信との両方を行うための電磁界を発生するスパイラル状またはコイル状のアンテナと、該アンテナの鏡像を形成する導体部材とを備えたことを特徴とする通信システム。
【請求項９】
請求項８記載の通信システムにおいて、
電力伝送用の信号を発生する電源部と、入力された送信用データを符号化する符号化回路と、前記電源部から得られる信号に対して符号化回路から得られる信号を振幅変調させて重畳させる変調器と、該変調器から得られる信号に基いてアンテナに給電する給電回路とを有することを特徴とする通信システム。
【請求項１０】
リーダまたは／およびライタ装置からＩＣカードに電磁波を用いて電力を伝送し、ＩＣカードにおいてこの伝送された電力を直流電圧に変換して内部回路に供給する電力伝送システムであって、
前記リーダまたは／およびライタ装置に、前記ＩＣカードへの電力の供給を行うための電磁界を発生するスパイラル状またはコイル状のアンテナと、該アンテナの鏡像となるスパイラル状またはコイル状のイメージアンテナとを備えたことを特徴とする電力伝送システム。
【請求項１１】
リーダまたは／およびライタ装置からＩＣカードに電磁波を用いて電力を伝送し、通信用信号について送受信を行う通信システムであって、
前記リーダまたは／およびライタ装置に、前記ＩＣカードへの電力の供給と通信用信号の送受信との両方を行うための電磁界を発生するスパイラル状またはコイル状のアンテナと、該アンテナの鏡像となるスパイラル状またはコイル状のイメージアンテナとを備えたことを特徴とする通信システム。
【請求項１２】
請求項１１記載の通信システムにおいて、
電力伝送用の信号を発生する電源部と、入力された送信用データを符号化する符号化回路と、前記電源部から得られる信号に対して符号化回路から得られる信号を振幅変調させて重畳させる変調器と、該変調器から得られる信号に基いてアンテナおよびイメージアンテナに給電する給電回路とを有することを特徴とする通信システム。
【請求項１３】
リーダまたは／およびライタ装置からＩＣカードに電磁波を用いて電力を伝送し、ＩＣカードにおいてこの伝送された電力を直流電圧に変換して内部回路に供給する電力伝送システムであって、
前記リーダまたは／およびライタ装置に備えられた前記ＩＣカードへの電力の供給を行うための電磁界を発生するスパイラル状またはコイル状のアンテナの最外形寸法を、ＩＣカードに形成されたスパイラル状またはコイル状のアンテナの最外形寸法よりも小さくしたことを特徴とする電力伝送システム。
【請求項１４】
リーダまたは／およびライタ装置からＩＣカードに電磁波を用いて電力を伝送し、通信用信号について送受信を行う通信システムであって、
前記リーダまたは／およびライタ装置に備えられた前記ＩＣカードへの電力の供給と通信用信号の送受信との両方を行うための電磁界を発生するスパイラル状またはコイル状のアンテナの最外形寸法を、ＩＣカードに形成されたスパイラル状またはコイル状のアンテナの最外形寸法よりも小さくしたことを特徴とする通信システム。
【請求項１５】
ＩＣカードへの電力の供給を行うための電磁界を発生するアンテナと、導体部材とを備え、
該アンテナを構成する最外周の配線と該導体部材の縁との距離が最短となる位置における該アンテナの大きさａと、該アンテナを構成する最外周の配線と該導体部材の縁とを結ぶ線と該導体部材とがなす角度θとの関係であるａ・ｔａｎθが０．２〔ａと同じ単位〕以下となるように該アンテナと該導体部材とを配置したことを特徴とするリーダまたは／およびライタ装置。
【請求項１６】
請求項１５記載のリーダまたは／およびライタ装置において、
前記アンテナがＩＣカードへの電力の供給と通信用信号の送信又は送受信との両方を行うことを特徴とするリーダまたは／およびライタ装置。
【請求項１７】
リーダまたは／およびライタ装置からＩＣカードに電磁波を用いて電力を伝送し、ＩＣカードにおいてこの伝送された電力を直流電圧に変換して内部回路に供給する電力伝送システムであって、
前記リーダまたは／およびライタ装置に、ＩＣカードへの電力の供給を行うための電磁界を発生するアンテナと、導体部材とを備え、該アンテナを構成する最外周の配線と該導体部材の縁との距離が最短となる位置における該アンテナの大きさａと、該アンテナを構成する最外周の配線と該導体部材の縁とを結ぶ線と該導体部材とがなす角度θとの関係であるａ・ｔａｎθが０．２〔ａと同じ単位〕以下となるように該アンテナと該導体部材とを配置したことを特徴とする電力伝送システム。
【請求項１８】
リーダまたは／およびライタ装置からＩＣカードに電磁波を用いて電力を伝送し、通信用信号の送受信を行う通信システムであって、
前記リーダまたは／およびライタ装置に、ＩＣカードへの電力の供給を行うための電磁界を発生するアンテナと、導体部材とを備え、該アンテナを構成する最外周の配線と該導体部材の縁との距離が最短となる位置における該アンテナの大きさａと、該アンテナを構成する最外周の配線と該導体部材の縁とを結ぶ線と該導体部材とがなす角度θとの関係であるａ・ｔａｎθが０．２〔ａと同じ単位〕以下となるように該アンテナと該導体部材とを配置したことを特徴とする通信システム。
【発明の詳細な説明】
【０００１】
【発明の属する技術分野】
本発明は、例えばキャッシュディスペンサ、電子マネー、自動改札システム、入退室管理システム、公衆電話器等におけるキャッシュカード、クレジツトカード、乗車券、定期券、回数券、管理カード、ＩＤカード、免許証、テレホンカード等の近接無線カードとの間において近接無線動作用電力伝送及び通信を行うリーダまたは／およびライタ装置、電力伝送システム並びに通信システムに関する。
【０００２】
【従来の技術】
従来、光または磁界を用いて電力供給側から近接無線カード（ＩＣカード）に対して非接触で電力を供給することは知られている。
【０００３】
例えば、特開平８―２６３６０９号公報では、非接触カードリーダの背面からのカードデータの読み込みと言った誤動作を防止するために、コイル状アンテナの背面に金属板を配置する場合の技術が開示される。特に、金属板を配置した場合に共振周波数がシフトすることを考慮して、金属板とコイル状アンテナとの距離を調整する技術が開示される。
【０００４】
【発明が解決しようとする課題】
一方、駅の改札口やバスや入退口等において使用するキャッシュカード、クレジツトカード、乗車券や定期券等をＩＣカード化し、このＩＣカードを使用者が駅の改札口やバスや入退口等に備えられたリーダ／ライタに対して非接触で通過させたとき、リーダ／ライタのコイル若しくはアンテナから電力伝送波若しくは通信波を放射し、カード側のコイル若しくはアンテナによりこの電磁波を受信、誘起し、カード側回路を動作し、信号を検出する非接触カードシステム（近接無線カードシステム）において、リーダ／ライタのコイル若しくはアンテナから放射する電界を、電波法による規制値（距離３ｍにおいて５００μＶ／ｍ）を満足させる必要がある。
【０００５】
しかし、上記放射電界の電波法の規制値（距離３ｍにおいて５００μＶ／ｍ）により、リーダライタ用コイル若しくはアンテナの電流値の上限が決定され、これに伴い電力伝送の上限が決定されるため、ＩＣカードに対して十分な電力を供給することが難しいという課題を有していた。すなわち、リーダライタからの所望の通信距離における十分な電力電送と、電波法に規定される遠方界を抑制することが難しいという課題を有していた。
【０００６】
本発明の第一の目的は、上記課題を解決すべく、リーダまたは／およびライタ装置から近接無線カード（ＩＣカード）に対して、規制値（例えば、距離３ｍにおいて５００μＶ／ｍ）を満足させて、しかも十分な電力を供給できるようにした近接無線カードシステムにおけるリーダまたは／およびライタ装置、電力伝送システム並びに通信システムを提供することにある。
【０００７】
また、本発明の第二の目的は、リーダまたは／およびライタ装置に備えられたアンテナに対して近接されるＩＣカードの位置決め誤差を許容できるようにして、高効率に電力伝送を行うことができるようにした近接無線カードシステムにおけるリーダまたは／およびライタ装置、電力伝送システム並びに通信システムを提供することにある。
【０００８】
【課題を解決するための手段】
上記第一の目的を達成するために、本発明は、ＩＣカードへの電力の供給を行うための電磁界を発生するスパイラル状またはコイル状のアンテナと、該アンテナの鏡像を形成する導体部材とを備えたことを特徴とするリーダまたは／およびライタ装置である。
【０００９】
また本発明は、ＩＣカードへの電力の供給と通信用信号の送信又は送受信との両方を行うための電磁界を発生するスパイラル状またはコイル状のアンテナと、該アンテナの鏡像を形成する導体部材とを備えたことを特徴とするリーダまたは／およびライタ装置である。
【００１０】
また本発明は、前記リーダまたは／およびライタ装置において、電力伝送用の信号を発生する電源部と、入力された送信用データを符号化する符号化回路と、前記電源部から得られる信号に対して符号化回路から得られる信号を振幅変調させて重畳させる変調器と、該変調器から得られる信号に基いてアンテナに給電する給電回路とを有することを特徴とする。
【００１１】
また本発明は、ＩＣカードへの電力の供給を行うための電磁界を発生するスパイラル状またはコイル状のアンテナと、該アンテナの鏡像となるスパイラル状またはコイル状のイメージアンテナとを備えたことを特徴とするリーダまたは／およびライタ装置である。
【００１２】
また本発明は、ＩＣカードへの電力の供給と通信用信号の送信又は送受信との両方を行うための電磁界を発生するスパイラル状またはコイル状のアンテナと、該アンテナの鏡像となるスパイラル状またはコイル状のイメージアンテナとを備えたことを特徴とするリーダまたは／およびライタ装置である。
【００１３】
また本発明は、前記リーダまたは／およびライタ装置において、電力伝送用の信号を発生する電源部と、入力された送信用データを符号化する符号化回路と、前記電源部から得られる信号に対して符号化回路から得られる信号を振幅変調させて重畳させる変調器と、該変調器から得られる信号に基いてアンテナおよびイメージアンテナに給電する給電回路とを有することを特徴とする。
【００１４】
また本発明は、リーダまたは／およびライタ装置からＩＣカードに電磁波を用いて電力を伝送し、ＩＣカードにおいてこの伝送された電力を直流電圧に変換して内部回路に供給する電力伝送システムであって、前記リーダまたは／およびライタ装置に、前記ＩＣカードへの電力の供給を行うための電磁界を発生するスパイラル状またはコイル状のアンテナと、該アンテナの鏡像を形成する導体部材とを備えたことを特徴とする電力伝送システムである。
【００１５】
また本発明は、リーダまたは／およびライタ装置からＩＣカードに電磁波を用いて電力を伝送し、通信用信号について送受信を行う通信システムであって、前記リーダまたは／およびライタ装置に、前記ＩＣカードへの電力の供給と通信用信号の送受信との両方を行うための電磁界を発生するスパイラル状またはコイル状のアンテナと、該アンテナの鏡像を形成する導体部材とを備えたことを特徴とする通信システムである。
【００１６】
また本発明は、リーダまたは／およびライタ装置からＩＣカードに電磁波を用いて電力を伝送し、ＩＣカードにおいてこの伝送された電力を直流電圧に変換して内部回路に供給する電力伝送システムであって、前記リーダまたは／およびライタ装置に、前記ＩＣカードへの電力の供給を行うための電磁界を発生するスパイラル状またはコイル状のアンテナと、該アンテナの鏡像となるスパイラル状またはコイル状のイメージアンテナとを備えたことを特徴とする電力伝送システムである。
【００１７】
また本発明は、リーダまたは／およびライタ装置からＩＣカードに電磁波を用いて電力を伝送し、通信用信号について送受信を行う通信システムであって、前記リーダまたは／およびライタ装置に、前記ＩＣカードへの電力の供給と通信用信号の送受信との両方を行うための電磁界を発生するスパイラル状またはコイル状のアンテナと、該アンテナの鏡像となるスパイラル状またはコイル状のイメージアンテナとを備えたことを特徴とする電力伝送および通信送受信システムである。
【００１８】
また本発明は、前記通信システムにおけるリーダまたは／およびライタ装置において、電力伝送用の信号を発生する電源部と、入力された送信用データを符号化する符号化回路と、前記電源部から得られる信号に対して符号化回路から得られる信号を振幅変調させて重畳させる変調器と、該変調器から得られる信号に基いてアンテナおよびイメージアンテナに給電する給電回路とを有することを特徴とする。
【００１９】
また、本発明は、ＩＣカードへの電力の供給を行うための電磁界を発生するアンテナと、導体部材とを備え、該アンテナを構成する最外周の配線と該導体部材の縁との距離が最短となる位置における該アンテナの大きさａと、該アンテナを構成する最外周の配線と該導体部材の縁とを結ぶ線と該導体部材とがなす角度θとの関係であるａ・ｔａｎθが０．２〔ａと同じ単位〕以下となるように該アンテナと該導体部材とを配置したことを特徴とする。
【００２０】
また、本発明は、前記リーダまたは／およびライタ装置において、前記アンテナがＩＣカードへの電力の供給と通信用信号の送信又は送受信との両方を行うことを特徴とする。
【００２１】
また、本発明は、リーダまたは／およびライタ装置からＩＣカードに電磁波を用いて電力を伝送し、ＩＣカードにおいてこの伝送された電力を直流電圧に変換して内部回路に供給する電力伝送システムであって、前記リーダまたは／およびライタ装置に、ＩＣカードへの電力の供給を行うための電磁界を発生するアンテナと、導体部材とを備え、該アンテナを構成する最外周の配線と該導体部材の縁との距離が最短となる位置における該アンテナの大きさａと、該アンテナを構成する最外周の配線と該導体部材の縁とを結ぶ線と該導体部材とがなす角度θとの関係であるａ・ｔａｎθが０．２〔ａと同じ単位〕以下となるように該アンテナと該導体部材とを配置したことを特徴とする。
【００２２】
また、本発明は、リーダまたは／およびライタ装置からＩＣカードに電磁波を用いて電力を伝送し、通信用信号の送受信を行う通信システムであって、前記リーダまたは／およびライタ装置に、ＩＣカードへの電力の供給を行うための電磁界を発生するアンテナと、導体部材とを備え、該アンテナを構成する最外周の配線と該導体部材の縁との距離が最短となる位置における該アンテナの大きさａと、該アンテナを構成する最外周の配線と該導体部材の縁とを結ぶ線と該導体部材とがなす角度θとの関係であるａ・ｔａｎθが０．２〔ａと同じ単位〕以下となるように該アンテナと該導体部材とを配置したことを特徴とする。
【００２３】
また、本発明は、ＩＣカードへの電力の供給を行うための電磁界を発生するスパイラル状またはコイル状のアンテナと、該アンテナの鏡像を形成して該アンテナからの少なくとも３ｍ遠方での電界強度を抑制する導体部材とを備えたことを特徴とする。
【００２４】
また、本発明は、ＩＣカードへの電力の供給と通信用信号の送信又は送受信との両方を行うための電磁界を発生するスパイラル状またはコイル状のアンテナと、該アンテナの鏡像を形成して該アンテナからの少なくとも３ｍ遠方での電界強度を抑制する導体部材とを備えたことを特徴とする。
【００２５】
また、本発明は、リーダまたは／およびライタ装置からＩＣカードに電磁波を用いて電力を伝送し、ＩＣカードにおいてこの伝送された電力を直流電圧に変換して内部回路に供給する電力伝送システムであって、前記リーダまたは／およびライタ装置に、前記ＩＣカードへの電力の供給を行うための電磁界を発生するスパイラル状またはコイル状のアンテナと、該アンテナの鏡像を形成して該アンテナからの少なくとも３ｍ遠方での電界強度を抑制する導体部材とを備えたことを特徴とする。
【００２６】
また、本発明は、リーダまたは／およびライタ装置からＩＣカードに電磁波を用いて電力を伝送し、通信用信号の送受信を行う通信システムであって、前記リーダまたは／およびライタ装置に、前記ＩＣカードへの電力の供給と通信用信号の送受信との両方を行うための電磁界を発生するスパイラル状またはコイル状のアンテナと、該アンテナの鏡像を形成して該アンテナからの少なくとも３ｍ遠方での電界強度を抑制する導体部材とを備えたことを特徴とする。
【００２７】
また上記第二の目的を達成するために、本発明は、リーダまたは／およびライタ装置からＩＣカードに電磁波を用いて電力を伝送し、ＩＣカードにおいてこの伝送された電力を直流電圧に変換して内部回路に供給する電力伝送システムであって、前記リーダまたは／およびライタ装置に備えられた前記ＩＣカードへの電力の供給を行うための電磁界を発生するスパイラル状またはコイル状のアンテナの最外形寸法を、ＩＣカードに形成されたスパイラル状またはコイル状のアンテナの最外形寸法よりも小さくしたことを特徴とする電力伝送システムである。
【００２８】
また本発明は、リーダまたは／およびライタ装置からＩＣカードに電磁波を用いて電力を伝送し、通信用信号について送受信を行う通信システムであって、前記リーダまたは／およびライタ装置に備えられた前記ＩＣカードへの電力の供給と通信用信号の送受信との両方を行うための電磁界を発生するスパイラル状またはコイル状のアンテナの最外形寸法を、ＩＣカードに形成されたスパイラル状またはコイル状のアンテナの最外形寸法よりも小さくしたことを特徴とする通信システムである。
【００２９】
以上説明したように、前記構成によれば、近接されるＩＣカードに対して電磁波（無線）を使って電力伝送するリーダまたは／およびライタにおいて、アンテナから全方位について電波法などの規制値を満足させて、しかも近接されるＩＣカードを安定して動作可能な電力を供給することができる。
【００３０】
また、前記構成によれば、リーダまたは／およびライタから近接されるＩＣカードに対して電磁波（無線）を使って電力伝送する電力伝送システムにおいて、アンテナから全方位について電波法の規制値を満足させて、しかも近接されるＩＣカードを安定して動作可能な電力を供給することができる。
【００３１】
また、前記構成によれば、近接されるＩＣカードに対して電磁波（無線）を使って電力伝送および通信を単一のアンテナを用いて行うリーダまたは／およびライタにおいて、アンテナから全方位について電波法の規制値を満足させて、しかも近接されるＩＣカードを安定して動作可能な電力を供給すると共に通信も行うことができる。
【００３２】
また、前記構成のように、アンテナの下に導体板を設けることで、さらにその下に高周波電子回路を構成しても、電磁波による影響（ノイズ）を受けずに、安定した動作が可能となる、シールドの効果を奏する。
【００３３】
また、前記構成のように、リーダまたは／およびライタ装置に備えられたＩＣカードへの電力の供給を行うための電磁界を発生するスパイラル状またはコイル状のアンテナの最外形寸法を、ＩＣカードに形成されたスパイラル状またはコイル状のアンテナの最外形寸法よりも小さくすることで、リーダまたは／およびライタ装置に備えられたアンテナに対して近接されるＩＣカードの位置決め誤差を許容することができる。特に、リーダまたは／およびライタ装置の有するアンテナの中心とＩＣカードの有するアンテナの中心とがほぼ重なった状態において、リーダまたは／およびライタ装置とＩＣカードとの通信距離をｈとすると、リーダまたは／およびライタ装置の有するアンテナの最外周がＩＣカードの有するアンテナの最外周がリーダまたは／およびライタ装置の有するアンテナの最外周よりもｈ以上大きいことがＩＣカードに形成されたアンテナを鎖交する磁束数の観点から望ましい。
【００３４】
【発明の実施の形態】
本発明に係る実施の形態について図を用いて説明する。
【００３５】
まず、キャッシュディスペンサ、電子マネー、自動改札システム、入退室管理システム等におけるキャッシュカード、クレジットカード、乗車券、定期券、回数券、管理カード、ＩＤカード、免許証、テレホンカード、ハイウェイカード等の非接触カードとリーダライタにおける非接触カード動作用電力伝送方式およびこれに用いられるアンテナについて説明する。
【００３６】
図１は、本発明に係る例えば改札口やバスや入退口や所定の場所に備えられたリーダまたは／およびライタユニット（装置）１から非接触で通過または近接される非接触カード（近接無線カード：ＩＣカード）２に対して無線によって電力を伝送すると共に通信を行う電力伝送および通信方式の概略構成を示す図である。非接触カード（近接無線カード：ＩＣカード）２は、使用者が保持して改札口やバスや入退口に備えられたリーダまたは／およびライタユニット１に対して非接触で例えば２０ｃｍ位までの距離を離して通過させることによって無線を使ってキャッシュカード、クレジットカード、乗車券、定期券等の情報を送受信してキャッシュカード、クレジットカード、乗車券、定期券等の役目をするものである。また、非接触カード（近接無線カード：ＩＣカード）２は、リーダまたは／およびライタユニット１に対して非接触で、しかも距離ｈが数ｃｍ程度以下で比較的にほぼ一定で、しかも大体位置きめされて使用される場合が有る。この場合、Ｒ／Ｗユニット１に設けられたＲ／Ｗアンテナ１０１の寸法に対して、近接無線カード２に形成されたカードアンテナ２０１の寸法を大きくすることによって、カードアンテナ２０１がＲ／Ｗアンテナ１０１に対して多少位置ずれが生じても、Ｒ／Ｗアンテナ１０１とカードアンテナ２０１との間において電力伝送波およびデータ通信変調波からなる電磁波（無線）を使って電力の伝送および通信の送受信の両方を安定に行うことができる。
【００３７】
図２は、本発明に係るリーダまたは／およびライタユニット（装置）１と非接触カード（近接無線カード：ＩＣカード）２との間において、無線によって電力を伝送し、更に無線によって情報の送受信（通信）を行う装置（システム）の一実施の形態を示す構成図である。図２に示す実施の形態では、Ｒ／Ｗユニット１に設けられたＲ／Ｗアンテナ１０１と近接無線カード２に形成されたカードアンテナ２０１との間で、図３に示す電力伝送波およびデータ通信変調波からなる電磁波（無線）を使って電力の伝送および通信の送受信の両方を行う場合を示したものである。このようにＡＳＫ変調方式における電力伝送波と信号波は、周波数領域で見ると異なる周波数成分であるが、時間領域で見ると電力伝送波の振幅が信号速度に応じて変化するだけである。つまり、電力伝送波に信号波を掛け合わせた変調波は時間領域では、電力伝送波の波形振幅が上下変動しているようにしか見えない。これを無線により伝送する場合、電力伝送波と信号波を各々別のアンテナにより送信することも考えられるが、本発明では、非接触カード（近接無線カード：ＩＣカード）２を簡素化するために、電界強度を電波法（距離３ｍにおいて５００μＶ／ｍ）内に制限し、かつ単一のアンテナ（Ｒ／Ｗアンテナ）１０１によりこの変調波を送信するように構成した。
【００３８】
即ち、Ｒ／Ｗ（リーダまたは／およびライタ）ユニット１には、１３．５６ＭＨｚの高周波数の電圧を発生する電源１０５と、近接無線カード２へ送信するための入力された送信データ（ＤＡＴＡ）１０６を符号化する符号化回路１０７と、上記電源１０５から発生した１３．５６ＭＨｚの高周波数の電圧上に上記符号化回路１０７で符号化された信号で振幅変調（Ａｍｐｌｉｔｕｄｅ  Ｓｈｉｆｔ  Ｋｅｙｉｎｇ  変調）を重畳させる（掛ける）変調器１０８と、該変調器１０８で１３．５６ＭＨｚの高周波数の電圧上にＡＳＫ変調された信号を増幅する送信アンプ１０９と、該送信アンプ１０９で増幅された信号をインダクタンス結合１０３により結合させ、コンデンサ１０４を有してインピーダンスをマッチングさせて反射防止をするための整合回路（給電回路）１０２と、該整合回路１０２の出力に応じて電力の伝送およびデータの送信を行うべく電磁波を発生し、近接無線カード２のカードアンテナ２０１から電磁波によって送信されてきたデータを受信するＲ／Ｗアンテナ１０１と、該Ｒ／Ｗアンテナ１０１で受信した信号を整合回路１０２で整合させてインダクタンス結合１０３により生じた信号からノイズ成分を取り除くフィルタ回路１１０と、該フィルタ回路１１０を通して得られる信号を増幅する受信アンプ１１１と、該受信アンプ１１１で増幅された信号を電源１０５から得られる１３．５６ＭＨｚの高周波数の電圧信号を用いて復調する復調器１１２と、該復調器１１２で復調された信号を復号化して受信データ（ＤＡＴＡ）１１４として出力する復号化回路１１３とを備えている。そして、送信データ１０６および受信データ１１４はネットワークを介してホストコンピュータ１１５に接続されている。
【００３９】
近接無線カード（非接触カード：ＩＣカード）２には、Ｒ／Ｗユニット１のＲ／Ｗアンテナ１０１から電力の伝送およびデータの送信を行うべく発生した電磁波を受信し、ロードスイッチング変調された送信データに応じた電磁波を発生するカードアンテナ２０１と、該カードアンテナ２０１で受信した１３．５６ＭＨｚの電力については整流し、送受信信号についてはインピーダンスをマッチングさせて整合する整合・整流回路２０３と該整合・整流回路２０３から整流された誘起電圧から５ｍＷ程度で２〜５Ｖ程度の一定の直流電圧電源２０５として供給する電源回路２０４と上記整合・整流回路２０３から得られる受信信号からクロックを抽出するクロック抽出回路２０６と上記整合・整流回路２０３から得られる受信信号からノイズ成分を取り除くＬＰＦ回路２０７と該ＬＰＦ回路２０７から得られる受信信号を波形成形する波形成形回路２０８と送信信号をロードスイッチング変調させて上記整合・整流回路２０３に与えて整合させてカードコイル２０１に供給するロードスイッチング変調回路２０９とを有する無線チップ２０２と、該無線チップ２０２のクロック抽出回路２０６で抽出されたクロック信号に基いて分周してマイコン２１４を働かせる信号を生成する分周回路２１１と無線チップ２０２の波形成形回路２０８から得られる信号を復号化して復号化データ（受信データ）としてマイコン（ＣＰＵ）２１４へ入力する復号化回路２１２とマイコン２１４から得られる送信データを符号化して無線チップ２０２のロードスイッチング変調回路２０９へ入力する符号化回路２１６とカードとしての情報を記憶するメモリを内蔵して送受信データの処理およびメモリとの間のデータの転送等を行うＨ８等のマイコン（ＣＰＵ）２１４とを有し、上記無線チップ２０２の電源回路２０４から安定した電源２０５の供給を受けるＣＰＵ等（ＣＰＵ＋インターフェース）のチップ２１０とを備えている。
【００４０】
なお、電力を電磁波（無線）で伝送するためにＲ／Ｗアンテナ１０１とカードアンテナ２０１を用いたのは、磁気結合を利用した電磁誘導により電力伝送の効率を向上させるためである。また近接無線カード２にスパイラル状のアンテナ２０１を形成した場合、近接無線カード２の変形に強い利点がある。またＲ／Ｗアンテナ１０１とカードアンテナ２０１ともにコイルで形成しても良い。
【００４１】
以上説明したように、近接無線カードシステムにおいては、リーダまたは／およびライタ１に対して非接触カード（近接無線カード：ＩＣカード）２を数ｃｍ程度以下の比較的に一定な距離ｈで近接させることによって、リーダ／ライタ１と非接触カード２との間において、無線によって電力を伝送し、更に無線によって情報の送受信（通信）が行われることになる。即ち、近接無線カードシステムにおいては、リーダライタ用アンテナ１０１により、電力伝送波若しくは通信波を放射し、カード側のスパイラル状またはコイル状のアンテナ２０１によりこの電磁波を受信、誘起し、カード側回路を動作し、信号を検出するものである。
【００４２】
ここで、図４に示すように、近接無線カードシステムにおいて、リーダまたは／およびライタ１に対して非接触カード（近接無線カード：ＩＣカード）２との距離ｈを数ｃｍ程度以下の比較的にほぼ一定な距離で近接させて使用する場合、リーダ／ライタ１に用いるスパイラル状のアンテナ１０１として、絶縁基板１０１ａ上に最外形が２５ｍｍ〜７５ｍｍの四角状で、その内部にスパイラル状またはコイル状のアンテナ１０１ｂを薄膜導体で形成して構成される。この場合、使用周波数１３．５６ＭＨｚにより決まる波長２２ｍに対して充分小さく、アンテナ上の電流分布はほぼー様分布と考えられる。この為、アンテナの側面方向には電界が、垂直方向には磁界が強く発生する。
【００４３】
この場合、垂直方向にスパイラル状またはコイル状のアンテナ２０１を実装した非接触カード２を、距離ｈとして数ｃｍ程度以下にして持ち込むと電力伝送波若しくは信号波を送受信できる。なお、この通信距離は、システムの能力により２０ｃｍ程度にすることもできる。しかし、放射電界を電波法の規制値（距離３ｍにおいて５００μＶ／ｍ）内に制限すると、リーダライタ用スパイラル状のアンテナ若しくはコイル１０１ｂに流す電流値の上限が決定され、これに伴い電力伝送に必要な磁界の強度の上限が決定され、電力伝送の上限が制限されることになる。
【００４４】
そこで、リーダ／ライタ１に用いるアンテナ１０１として、放射電界が電波法の規制値（距離３ｍにおいて５００μＶ／ｍ）を満足し、しかも非接触カード（近接無線カード：ＩＣカード）２に対して十分なパワーで電力伝送を可能にすることが望まれる。
【００４５】
次に本発明に係る放射電界が電波法の規制値（距離３ｍにおいて５００μＶ／ｍ）を満足し、しかもＩＣカード２に対して十分なパワーで電力伝送を可能にするリーダ／ライタ１に備えられたアンテナ１０１の実施の形態について説明する。
【００４６】
まず、本発明に係るリーダ／ライタ１に備えられたアンテナ１０１の第１の実施の形態を説明する。図５は、本発明に係るリーダ／ライタ１に備えられたアンテナ１０１の第１の実施の形態を示す図である。リーダ／ライタ１に用いるアンテナ１０１の第１の実施の形態として、絶縁基板１０１ａ上に最外形が２５ｍｍ〜７５ｍｍの四角状で、その内部にスパイラル状またはコイル状のアンテナ１０１ｂを薄膜導体で形成し、この基板１０１ａの裏側にアンテナ１０１ｂにｄ＝２０ｍｍ程度以下に近接して上記アンテナ１０１ｂの鏡像９１を形成するＣｕ等の導体板（金属板）１０１ｃを備えて構成する。なお、導体板（金属板）１０１ｃは、電位を安定にするためにアースに接地される。また、導体板（金属板）１０１ｃとしては、鏡像９１を形成しやすい抵抗値の低い金属、例えばＣｕやＡｌが良い。
【００４７】
このように、スパイラル状またはコイル状のアンテナ１０１ｂにｄ＝２０ｍｍ程度以下に近接して上記アンテナ１０１ｂの鏡像９１を形成する導体板（金属板）１０１ｃを備えたことにより、図６に示すように、垂直方向において１３．５６ＭＨｚで励振されて電流Ｉが流されたアンテナ（ループアンテナ）１０１ｂの各辺からｒ１、ｒ３の距離にある点の磁界と、アンテナ（ループアンテナ）１０１ｂから２ｄの距離離れた位置に形成された鏡像９１の各辺からｒ１’、ｒ３’の距離にある点の磁界とが合成される。
【００４８】
この場合のリーダ／ライタ上方距離Ｄ［ｍ］における磁界を測定用ループアンテナ（１辺が６１．６ｃｍの正方形ループアンテナ）で測定し、電界強度に換算した値（ωμＳＨｚ×ＡＦ）［ｄＢｕＶ／ｍ］を図７に示す。なお、図７は、スパイラル状またはコイル状のアンテナ（ループアンテナ）１０１ｂの最大外形が３０ｍｍ×３０ｍｍで、ターン数［Ｔ］が５で、電流Ｉｓ＝１．０［Ａｒｍｓ］において、導体板（金属板）１０１ｃなしの場合と、導体板（金属板）１０１ｃありで、ｄ＝５［ｍｍ］、ｄ＝２０［ｍｍ］、ｄ＝５０［ｍｍ］の場合とにおけるリーダ／ライタ上方距離Ｄ［ｍ］とその距離における電界強度［ｄＢｕＶ／ｍ］との関係をシュミレーションした結果を示す。この図７に示すように、導体板（金属板）１０１ｃありの場合には、導体板（金属板）１０１ｃなしの場合と比較して、上方距離Ｄが長くなるに従って電界強度は低減されることになる。またループアンテナ１０１ｂと金属板１０１ｃとの間の間隔ｄが５０［ｍｍ］、２０［ｍｍ］、５［ｍｍ］と近ずくに従って、上方距離Ｄが長い場合において電界強度は低減されることになる。
【００４９】
一方、電波法の規制値としては、Ｄ＝３［ｍ］において、電界強度としては、５４［ｄＢｕＶ／ｍ］となる。
【００５０】
従って、Ｄ＝３［ｍ］において、ループアンテナ１０１ｂと金属板１０１ｃとの間の間隔ｄを５［ｍｍ］以下にすれば、電界強度を金属板なしに比べて、４１［ｄＢｕＶ／ｍ］以上低減することができる。
【００５１】
そこで、例えばループアンテナ１０１ｂと金属板１０１ｃとの間の間隔ｄを５［ｍｍ］以下にすれば、ＩＣカード２との間の距離を数ｃｍ以下において、ループアンテナ１０１ｂからカードアンテナ２０１に対して電界強度として約１９０［ｄＢｕＶ／ｍ］以上まで電力伝送を行うことができる。また例えばループアンテナ１０１ｂと金属板１０１ｃとの間の間隔ｄを２０［ｍｍ］にすれば、ＩＣカード２との間の距離を数ｃｍ以下において、ループアンテナ１０１ｂからカードアンテナ２０１に対して電界強度として約１８０［ｄＢｕＶ／ｍ］まで電力伝送を行うことができる。
【００５２】
もし、金属板がない場合には、電波法の規制値（Ｄ＝３［ｍ］において、電界強度としては、５４［ｄＢｕＶ／ｍ］）を満足させるには、ループアンテナ１０１ｂからカードアンテナ２０１に対する電界強度として約１２０［ｄＢｕＶ／ｍ］以下にする必要が生じる。しかしながら、上記のようにループアンテナ１０１ｂの裏側に、金属板１０１ｃを設置することによって、放射電界が電波法の規制値（距離３ｍにおいて５００μＶ／ｍ）を満足し、しかもＩＣカード２に対して十分なパワーで電力伝送をすることができる。
【００５３】
また、図６に示すように、スパイラル状またはコイル状のアンテナ１０１ｂにｄ＝２０ｍｍ程度以下に近接して上記アンテナ１０１ｂの鏡像９１を形成する導体板（金属板）１０１ｃを備えたことにより、側面方向において１３．５６ＭＨｚで励振されて電流Ｉが流されたアンテナ（ループアンテナ）１０１ｂの各辺からｒ１、ｒ３の距離にある点の電磁界（主として電界）と、スパイラル状またはコイル状のアンテナ（ループアンテナ）１０１ｂから２ｄの距離離れた位置に形成された鏡像９１の各辺からｒ１’、ｒ３’の距離にある点の電磁界（主として電界）とが合成されるので、ループアンテナ１０１ｂから側面方向に３［ｍ］離れた位置における電界強度［ｄＢｕＶ／ｍ］は図８の通りとなる。図８は、スパイラル状またはコイル状のアンテナ（ループアンテナ）１０１ｂの最大外形が３０ｍｍ×３０ｍｍで、ターン数［Ｔ］が５で、電流Ｉｓ＝１．０［Ａｒｍｓ］において、導体板（金属板）１０１ｃなしの場合と、導体板（金属板）１０１ｃありで、ｄ＝５［ｍｍ］、ｄ＝１０［ｍｍ］、ｄ＝２０［ｍｍ］、ｄ＝３０［ｍｍ］、ｄ＝４０［ｍｍ］、ｄ＝５０［ｍｍ］の場合とにおいてループアンテナ１０１ｂから側面方向に３［ｍ］離れた位置におけるループアンテナ１０１ｂ回りの角度φに対する電界強度［ｄＢｕＶ／ｍ］の関係をシュミレーションした結果を示す。この図８に示すように、導体板（金属板）１０１ｃありの場合には、導体板（金属板）１０１ｃなしの場合と比較して、ｄ＝５０［ｍｍ］の場合でも電界強度を最小４５［ｄＢｕＶ／ｍ］低減することができる。このように、ループアンテナ１０１ｂの裏側に、金属板１０１ｃを設置することによって、ループアンテナ１０１ｂから垂直方向に比べて側面方向について、電波法の規制値（Ｄ＝３［ｍ］において、電界強度としては、５４［ｄＢｕＶ／ｍ］）を容易に満足されることが可能となる。
【００５４】
なお、図７および図８に示す金属板あり、金属板なしの電界強度についてのシュミレーションの結果は、実験において同様な値を示すことが確認された。
【００５５】
以上説明したように、ループアンテナ１０１ｂの裏側に、金属板１０１ｃを設置することによって、ループアンテナ１０１ｂの全方位に対して、放射電界が電波法の規制値（距離３ｍにおいて５００μＶ／ｍ）を満足し、しかもＩＣカード２のカードアンテナ２０１に対して十分なパワーで電力伝送をすることが可能となる。
【００５６】
当然、ループアンテナ１０１ｂから放射されるデータ通信変調波についての電界強度は、電力伝送波に比べて低いことにより電波法の規制値（距離３ｍにおいて５００μＶ／ｍ）を容易に満足させることができる。
【００５７】
次に、本発明に係るリーダ／ライタ１に備えられたアンテナ１０１の第２の実施の形態を説明する。図９は、本発明に係るリーダ／ライタ１に備えられたアンテナ１０１の第２の実施の形態の基本概念を示す斜視図である。リーダ／ライタ１に用いるアンテナ１０１の第２の実施の形態としては、スパイラル状またはコイル状のアンテナ（ループアンテナ）１０１ｂの鏡像位置にスパイラル状またはコイル状のイメージアンテナ（イメージループアンテナ）１０１ｄをスパイラル状またはコイル状のアンテナ１０１ｂに接続して構成する。図９に示すように、アンテナ１０１ｂに流す電流の向きとイメージアンテナ１０１ｄに流す電流の向きを逆にする。このように構成することによって、イメージアンテナ１０１ｄで、第１の実施の形態に示す金属板１０１ｃによってできる鏡像９１と同じ機能を出すことが可能となり、アンテナ１０１ｂの全方位に対して、放射電界が電波法の規制値（距離３ｍにおいて５００μＶ／ｍ）を満足し、しかもＩＣカード２のカードアンテナ２０１に対して十分なパワーで電力伝送をすることが可能となる。しかし、アンテナ１０１ｂに流す１３．５６ＭＨｚの高周波数の電流と、イメージアンテナ１０１ｄに流す１３．５６ＭＨｚの高周波数の電流を、電流の向きが同方向で、位相が逆相、若しくは電流の向きが逆方向で、位相が同相に合わせる必要が有る。そこで、アンテナ１０１ｂに流す１３．５６ＭＨｚの高周波数の電流の位相と、イメージアンテナ１０１ｄに流す１３．５６ＭＨｚの高周波数の電流の位相とが合うようにコイル長を定める必要が有る。
【００５８】
図１０は、アンテナ１０１ｂとイメージアンテナ１０１ｄとを別々の駆動アンプ１０９ａ、１０９ｂで駆動する実施例を示した斜視図である。このように構成することによって、駆動アンプ１０９ａと駆動アンプ１０９ｂに同じ１３．５６ＭＨｚの高周波数信号を入力すれば、アンテナ１０１ｂに流す電流の位相と、イメージアンテナ１０１ｄに流す電流の位相とを合わせることが容易に可能となる。
【００５９】
以上説明したように、第１の実施の形態では金属板１０１ｃの裏側に磁界が発生することを防止することができるが、第２の実施の形態ではイメージアンテナ１０１ｄの裏側に表面側と同様な磁界が発生することになり、この磁界が支障有る場合には、更にイメージアンテナ１０１ｄの裏側に金属板等の導体板を設置してイメージアンテナ１０１ｄの裏側に遠方まで磁界の発生を抑える必要が生じる。
【００６０】
また、上記第１の実施の形態および第２の実施の形態ともに、Ｒ／Ｗユニット１に設けられたＲ／Ｗアンテナ１０１とＩＣカード２に形成されたカードアンテナ２０１との間で、図３に示す電力伝送波およびデータ通信変調波からなる電磁波（無線）を使って電力の伝送および通信の送受信の両方を行う場合について説明したが、電力伝送波のみからなる電磁波を使って電力伝送のみを行う場合にも有効である。即ち、この場合、通信については、Ｒ／Ｗユニット１とＩＣカード２の各々に別に設けたアンテナを用いて送受信を行う。
【００６１】
次に、電波法で規定する３ｍ遠方界での規制値を満足するアンテナ１０１ｂと金属板１０１ｃとの距離と寸法関係について説明する。
【００６２】
図１１は、半径ａの円形状のアンテナ１０１ｂと、その裏側に導板１０１ｃとを備えたリーダライタの３ｍ遠方での電界強度Ｅの実験結果であり、アンテナ１０１ｂと金属板１０１ｃとの距離と寸法との関係を規定したａ・ｔａｎθを変化させた場合の実験結果である。なお、ｔａｎθは、アンテナ１０１ｂと金属板１０１ｃとの距離と、アンテナ１０１ｂから金属板１０１ｃがはみ出した寸法との比を表わすこととなる。また、図１１は、アンテナに流れる電流とアンテナの巻数の積毎の実験結果を示している。
【００６３】
図からわかるように、ａ・ｔａｎθが増加するにつれて、また、アンテナ電流と巻数の積が増加するにつれて、その電界強度Ｅは増加するので、５０［ｍＡ・Ｔ］以上のリーダライタにおいて、その３ｍ遠方での電界強度Ｅを電波法で規定する５４ｄＢｕＶ／ｍ以下にするには、ａ・ｔａｎθを０．２〔ａと同じ単位〕以下にすればよいこととなる。
【００６４】
なお、図においてアンテナのサイズとしては、ａ＝３０、５０、７０、１００、１５０、２００により実験（シミュレーション）したが、その他のサイズであってもアンテナを構成する線路の線路長が３ｃｍ〜３ｍであれば、図１１に示す特性との差はほとんどない。これは、アンテナの線路長が、リーダライタに適用する電力電送波の波長２２ｍ （１３．５６ＭＨＺ）に対して無視できる程度の大きさになるからである。なお、このことは、以下の実験結果についても同様である。
【００６５】
次に、図１２は、１辺がａの矩形状のアンテナ１０１ｂと、その裏側に導板１０１ｃとを備えたリーダライタの３ｍ遠方での電界強度Ｅの実験結果であり、アンテナ１０１ｂと金属板１０１ｃとの距離と寸法との関係を規定したａ・ｔａｎθを変化させた場合の実験結果である。また、これについてもアンテナに流れる電流とアンテナの巻数の積毎の実験結果を示している。
【００６６】
図からわかるように、ａ・ｔａｎθが増加するにつれて、また、アンテナ電流と巻数の積が増加するにつれて、その電界強度Ｅは増加するので、５０［ｍＡ・Ｔ］以上のリーダライタにおいて、その３ｍ遠方での電界強度Ｅを電波法で規定する５４ｄＢｕＶ／ｍ以下にするには、ａ・ｔａｎθを０．２〔ａと同じ単位〕以下にすればよいこととなる.
【００６７】
ところで、図１１、図１２とを比較してもわかるように、アンテナの形状に応じて電界強度Ｅが極端に変化することはなく、アンテナを構成する最外周の配線が形成する面積（磁束が通過する面積）に関係するので、他のアンテナ形状については、アンテナ１０１ｂを構成する最外周の配線と、導板の縁１０１ｃとの距離が最も短い場所での断面においてａ・ｔａｎθが０．２〔ｍ〕以下となれば良い。
【００６８】
なお、図１１、図１２に示すようなアンテナであれば、そのアンテナ電流と巻数からして、リーダライタからの距離が約２０ｃｍ以内において十分な磁界強度が得られることが確認されている。
【００６９】
また、図１１、１２では、３ｍ遠方での電界強度Ｅを電波法で規定する５４ｄＢｕＶ／ｍ以下とする場合について説明してきたが、今後の法律の改正などにより５４ｄＢｕＶ／ｍが代わってしまうのであれば、新たな数値を用いて図１１、１２からａ・ｔａｎθを求めることができることは言うまでもない。同様に磁界強度により規制されるのならば、図１１、１２を用いて電界強度から磁界強度に変換した特性を算出すれば同様に必要なａ・ｔａｎθを求めることができることは言うまでもない。また規制対象となる距離（３ｍ）が代わってしまうのであれば、図７を用いて新たな距離における電界強度や磁界強度を算出すれば同様に必要なａ・ｔａｎθを求めることができることは言うまでもない。
【００７０】
【発明の効果】
本発明によれば、近接されるＩＣカードに対して電磁波（無線）を使って電力伝送するリーダまたは／およびライタにおいて、アンテナから全方位について規制値を満足させて、しかも近接されるＩＣカードを安定して動作可能な電力を供給することができる効果を奏する。
【００７１】
また、本発明によれば、リーダまたは／およびライタから近接されるＩＣカードに対して電磁波（無線）を使って電力伝送する電力伝送システムにおいて、アンテナから全方位について電波法の規制値を満足させて、しかも近接されるＩＣカードを安定して動作可能な電力を供給することができる効果を奏する。
【００７２】
また、本発明によれば、近接されるＩＣカードに対して電磁波（無線）を使って電力伝送および通信を単一のアンテナを用いて行うリーダまたは／およびライタにおいて、アンテナから全方位について電波法の規制値を満足させて、しかも近接されるＩＣカードを安定して動作可能な電力を供給すると共に通信も行うことができる効果を奏する。
【００７３】
また、本発明によれば、アンテナの下に導体板を設けることで、さらにその下に高周波電子回路を構成しても、電磁波による影響（ノイズ）を受けずに、安定した動作が可能となる、シールドの効果を奏する。
【図面の簡単な説明】
【図１】本発明に係るリーダまたは／およびライタ装置と近接無線カード（ＩＣカード）との間において無線によって電力伝送し、無線によって通信を行う電力伝送・通信方式を示した概略構成斜視図である。
【図２】本発明に係るリーダまたは／およびライタ装置と近接無線カード（ＩＣカード）との間において無線によって電力伝送し、無線によって通信を行う装置（システム）の一実施の形態を示す構成図である。
【図３】本発明に係る電力伝送波とデータ通信変調波との関係を示す図である。
【図４】本発明に係るリーダまたは／およびライタ装置に設置されたリーダライタアンテナとＩＣカードとの関係を示す斜視図である。
【図５】本発明に係るリーダまたは／およびライタ装置に設置されたリーダライタアンテナの第１の実施の形態を示す斜視図である。
【図６】リーダライタアンテナの第１の実施の形態において、垂直方向と側面方向とで電磁界が合成される原理を説明するための図である。
【図７】リーダライタアンテナの第１の実施の形態において、シュミレーションされたリーダライタアンテナからの垂直方向距離に対する電界強度を示す図である。
【図８】リーダライタアンテナの第１の実施の形態において、シュミレーションされたリーダライタアンテナからの側面方向に３［ｍ］離れた位置における電界強度を示す図である。
【図９】本発明に係るリーダまたは／およびライタ装置に設置されたリーダライタアンテナの第２の実施の形態における一実施例を示す斜視図である。
【図１０】本発明に係るリーダまたは／およびライタ装置に設置されたリーダライタアンテナの第２の実施の形態における他の実施例を示す斜視図である。
【図１１】導板を配置したリーダライタアンテナにおいて、シュミレーションされたリーダライタアンテナからの３ｍ遠方での電界強度を示す図である。
【図１２】導板を配置したリーダライタアンテナにおいて、シュミレーションされたリーダライタアンテナからの３ｍ遠方での電界強度を示す図である。
【符号の説明】
１…リーダ／ライタユニット、２…近接無線カード（ＩＣカード：非接触カード）、９１…アンテナの鏡像、１０１…リーダライタアンテナ、１０１ａ…基板、１０１ｂ…アンテナ、１０１ｃ…導体板（金属板）、１０１ｄ…イメージアンテナ、１０２…整合回路（給電回路）、１０５…電源、１０７…符号化回路、１０８…変調器、１０９…送信アンプ、１１０…フィルタ回路、１１１…受信アンプ、１１２…復調器、１１３…復号化回路、１１５…ホストコンピュータ、２０１…カードアンテナ、２０２…無線チップ、２０３…整合・整流回路、２０４…電源回路、２０６…クロック抽出回路、２０７…ＬＰＦ回路、２０９…ロードスイッチング回路、２１０…ＣＰＵ等のチップ（ＣＰＵ＋インターフェースチップ）、２１１…分周回路、２１２…復号化回路、２１４…マイコン（ＣＰＵ）、２１６…符号化回路。
【図１】
0003619676.tif 000002
【図２】
0003619676.tif 000003
【図３】
0003619676.tif 000004
【図４】
0003619676.tif 000005
【図５】
0003619676.tif 000006
【図６】
0003619676.tif 000007
【図７】
0003619676.tif 000008
【図８】
0003619676.tif 000009
【図９】
0003619676.tif 000010
【図１０】
0003619676.tif 000011
【図１１】
0003619676.tif 000012
【図１２】
0003619676.tif 000013